(57)【要約】【課題】従来の独立電源装置では、発電量を表示するために発光体を段階的に点灯する表示装置を用いているため、表示を確認できる方向に制約があり、わずかな発電量の変化を表現するためには点灯する発光体数を増加させ表示回路も複雑という課題があった。【解決手段】光を感知して羽根車１５が回転するラジオメーター３を用いることで、周囲の広い範囲から発電量を確認することができ、光の強さに応じて羽根車１５の回転が無段階に変化するため簡単な構成のまま発電量のわずかな変化を容易に表現できる。【選択図】図４
2009077508.tif 000002
【特許請求の範囲】
【請求項１】
太陽電池モジュールを用いた独立電源装置において、光エネルギーを運動エネルギーに変換して動作するソーラーエンジンを備えたことを特徴とする独立電源装置。
【請求項２】
ソーラーエンジンが、ガラスドームの中に羽根車を有し光を感知すると前記羽根車が回転するラジオメーターであることを特徴とする請求項１記載の独立電源装置。
【請求項３】
ラジオメーターが、太陽電池モジュールの受光面が向けられた方向からの光を感知するようにしたことを特徴とする請求項２記載の独立電源装置。
【請求項４】
太陽電池モジュールの受光面の向きを自在に可変できる保持部材を設け、前記保持部材にラジオメーターが取り付けられていることを特徴とする請求項３記載の独立電源装置。
【請求項５】
風を受けて回転する風車を備えることを特徴とする請求項１から４いずれか記載の独立電源装置。
【請求項６】
風車の回転軸が垂直方向に配置されている垂直軸風車であることを特徴とする請求項５記載の独立電源装置。
【請求項７】
ラジオメーターの回転軸と、風車の回転軸が同軸上に配置されたことを特徴とする請求項６記載の独立電源装置。
【請求項８】
ラジオメーターの回転方向と、風車の回転方向が反対方向であることを特徴とする請求項６または７記載の独立電源装置。
【請求項９】
風車に発電機が接続され風力発電機として機能することを特徴とする請求項５から８のいずれかに記載の独立電源装置。
【請求項１０】
風力発電機の出力が照明に接続されており、風車が回転して発電した電力を用いて前記照明が点灯することを特徴とする請求項９記載の独立電源装置。
【請求項１１】
周囲の照度を検知する照度検知手段と、風車の回転を検知する回転検知手段と、照明手段を備え、夜間に前記風車が回転したときに前記照明手段を点灯させることを特徴とする請求項５から９のいずれかに記載の独立電源装置。
【請求項１２】
照明手段が点光源の発光体であり、風車に取り付けられていることを特徴とする請求項１０または１１に記載の独立電源装置。
【請求項１３】
照度検知手段として、太陽電池モジュールの発電によって発生する出力電圧を検知する電圧検知手段とすることを特徴とする請求項１１または１２に記載の独立電源装置。
【請求項１４】
回転検知手段として、風力発電機の発電によって発生する出力電圧を検知する電圧検知手段とすることを特徴とする請求項１１または１３に記載の独立電源装置。
【請求項１５】
ラジオメーターのガラスドームの周囲に耐衝撃性のある防護手段を設けることを特徴とする請求項２から１４のいずれかに記載の独立電源装置。
【請求項１６】
ラジオメーターと風車が共通の取付け部材に取り付けられ、前記取付け部材を介して独立電源装置に固定されていることを特徴とする請求項５から１５のいずれかに記載の独立電源装置。
【発明の詳細な説明】
【技術分野】
【０００１】
本発明は、太陽光や風力などの自然エネルギーを利用して発電した電力を蓄電池に充電して、外部負荷に電力を供給する独立電源装置に関するものである。
【背景技術】
【０００２】
従来、太陽電池モジュールによる発電電力がどの程度であるのか、使用者が認識するために大型の独立電源装置では、実際に太陽電池モジュールの出力電圧や蓄電池の電圧を計測しこれらの値を専用の回路で演算して発電量として表示器に表示する手段が設けられているものがある。（例えば特許文献１参照）また、携帯用電源など小型の独立電源装置では、構造の簡素化を図るべく受光量を検出する専用の太陽電池の検出信号にもとづいて発電量を表示する手段が設けられているものがある。（例えば特許文献２参照）以下、特許文献２の独立電源装置について図５を参照しながら説明する。
【０００３】
太陽電池モジュール１０１の受光面１０２（図中矢印Ｐは入射光を示す）と同一面に受光量検出用セル１０３が設けられており、受光量検出用セル１０３の検出信号にもとづいて発電量を段階的に表示するＬＥＤによる表示部１０４が備えられ内部には表示駆動回路１０５が備えられている。この構成によって太陽電池モジュール１０１に使用する機器を接続する前に簡単に現在の発電量を目視確認することができる。
【特許文献１】特開２００６−２５４８１号公報
【特許文献２】特開２００２−６２３２１号公報
【発明の開示】
【発明が解決しようとする課題】
【０００４】
このような従来の独立電源装置では、発電量を表示するために発光体であるＬＥＤを点灯させている。発電量を段階的に表示するためにＬＥＤを複数個備えているが、ＬＥＤの数が少ないとわずかな発電量変化を表現できないためＬＥＤ数を相当数増やさなければならない。ＬＥＤ数を増加すると発光動作の制御が複雑になり消費電力も増加するため、回路の複雑化や受光量検出用セルの大型化などが必要となり、簡単な構成ではなくなるという課題がある。また、ＬＥＤは輝度が高いことは知られているが、その反面、指向性の強い配光特性を有しているため、点灯を目視確認できる方向が狭い範囲に限られる。その結果、周囲の広い範囲から発電量を目視確認することができないという課題がある。
【０００５】
本発明は、このような従来の課題を解決するものであり、光を感知して羽根車が回転するラジオメーターを用いて発電量を表現する構成としたことで、光の強さに応じて羽根車の回転が無段階に変化するため簡単な構成のまま、わずかな発電量変化を表現することができる。また、透明なガラスドームの中で羽根車が回転して発電量を表現するため、周囲の広い範囲から発電量を目視確認できるという独立電源装置を提供することを目的としている。
【課題を解決するための手段】
【０００６】
本発明の独立電源装置は、上記目的を達成するために、太陽電池モジュールを用いた独立電源装置において、光エネルギーを運動エネルギーに変換して動作するソーラーエンジンを備えたことを特徴としたものである。この手段により、発電に用いる太陽電池モジュールや別に設けた太陽電池セルからの電気出力を使用することなく、光の強さの変化を運動量に直接変換して動作させることで発電量を表現でき、光の強さに応じて動作が無段階に変化するため、簡単な構成のままわずかな発電量変化を表現できる。
【０００７】
また、ソーラーエンジンが、ガラスドームの中に羽根車を有し光を感知すると前記羽根車が回転するラジオメーターであることにより、透明なガラスドームの中で羽根車が回転する動作であるため、機構が簡単となると同時に、周囲のすべての方向から同じように羽根車の回転が見えるため羽根車を目視確認できる方向に制約がなくなり、広い範囲から発電量を目視確認することができる。
【０００８】
また、ラジオメーターが、太陽電池モジュールの受光面が向けられた方向からの光を感知するようにしたことにより、同じ方向からの光を感知することによって時刻による太陽の位置と太陽電池モジュールの設置方向の関係で変化する発電量の変化をラジオメーターが感知できる。
【０００９】
また、太陽電池モジュールの受光面の向きを自在に可変できる保持部材を設け、前記保持部材にラジオメーターが取り付けられていることにより、太陽電池モジュールの受光面の向きを変更すれば合わせてラジオメーターの向きも変更される。
【００１０】
また、風を受けて回転する風車を備えることにより、風車の回転によって周辺の風の強さを表現できる。
【００１１】
また、風車の回転軸が垂直方向に配置されている垂直軸風車であることにより、風の向きに関わらず周辺の風の強さを表現できる。
【００１２】
また、ラジオメーターの回転軸と、風車の回転軸が同軸上に配置されたことにより、周囲のどの方向から見てもラジオメーターと風車が互いの影となって確認しづらくなることがなくなる。
【００１３】
また、ラジオメーターの回転方向と、風車の回転方向が反対方向であることにより、離れた位置からでもラジオメーターと風車のどちらが回転しているか視認しやすくなり、回転方向によって日射と風の状況を正確に判断することができる。
【００１４】
また、風車に発電機が接続され風力発電機として機能することにより、風が吹いた時に風の強さを表現するだけでなく風力エネルギーを電気エネルギーに変換できる。
【００１５】
また、風力発電機の出力が照明に接続されており、風車が回転して発電した電力を用いて前記照明が点灯することにより、風から得られた電気エネルギーを照明として利用できる。
【００１６】
また、周囲の照度を検知する照度検知手段と、風車の回転を検知する回転検知手段と、照明手段を備え、夜間に前記風車が回転したときに前記照明手段を点灯させることにより、風を受けて風車が回っている様子を夜間でも周囲から広く確認することができる。
【００１７】
また、照明手段が点光源の発光体であり、風車に取り付けられていることにより、点光源が風の強さに応じて回転移動するため、風の強さを夜間でも周囲に広く認識させることができる。
【００１８】
また、照度検知手段として、太陽電池モジュールの発電によって発生する出力電圧を検知する電圧検知手段とすることにより、別途に照度検知手段を設ける必要がなく、部品構成と回路を簡単にできる。
【００１９】
また、回転検知手段として、風力発電機の発電によって発生する出力電圧を検知する電圧検知手段とすることにより、別途に回転検知手段を設ける必要がなく、部品構成と回路を簡単にできる。
【００２０】
また、ラジオメーターのガラスドームの周囲に耐衝撃性のある防護手段を設けることにより、台風など強風時に飛散物の衝突によって破損する被害を抑止できる。
【００２１】
また、ラジオメーターと風車が共通の取付け部材に取り付けられ、前記取付け部材を介して独立電源装置に固定されていることにより、台風など強風時にラジオメーターと風車を一体化した状態で簡単に取り外せるため、風車の過回転や飛散物の衝突によって破損する被害を抑止できる。
【発明の効果】
【００２２】
本発明によれば、光を感知して羽根車が回転するラジオメーターを用いて発電量を表現する構成としたことで、光が強い、すなわち、太陽光発電量が多くなる程、羽根車の回転速度が早くなり、光の強さに応じて羽根車の回転が無段階に変化するため、太陽光発電量を羽根車の回転速度、すなわち羽根車の回転状態で表現でき、簡単な構成のまま、わずかな発電量変化を表現することができる。また、透明なガラスドームの中で羽根車が回転して発電量を表現するため、周囲の広い範囲から発電量を目視認識、目視確認できるという独独立電源装置を提供することができる。
【発明を実施するための最良の形態】
【００２３】
本発明の請求項１記載の独立電源装置は、太陽電池モジュールを用いた独立電源装置において、光エネルギーを運動エネルギーに変換して動作するソーラーエンジンを備えたことを特徴としたものであり、発電に用いる太陽電池モジュールや別に設けた太陽電池セルからの電気出力を使用することなく、光の強さの変化を運動量に直接変換して動作させることで発電量を表現でき、光が強い程太陽光発電量が多くなるが、光の強さに応じて動作が無段階に変化するため、簡単な構成のままわずかな発電量変化を表現でき、太陽光発電状態を認識できるという作用を有する。
【００２４】
本発明の請求項２記載の独立電源装置は、請求項１記載の独立電源装置において、ソーラーエンジンが、ガラスドームの中に羽根車を有し光を感知すると前記羽根車が回転するラジオメーターであることを特徴としたものであり、透明なガラスドームの中で羽根車が回転する動作であるため、機構が簡単となると同時に、周囲のすべての方向から同じように羽根車の回転が見えるため羽根車を目視確認できる方向に制約がなくなり、広い範囲から発電量を目視確認することができるという作用を有する。
【００２５】
本発明の請求項３記載の独立電源装置は、請求項２記載の独立電源装置において、ラジオメーターが、太陽電池モジュールの受光面が向けられた方向からの光を感知するようにしたことを特徴としたものであり、同じ方向からの光を感知することによって時刻による太陽の位置と太陽電池モジュールの設置方向の関係で変化する発電量の変化をラジオメーターが感知できるという作用を有する。
【００２６】
本発明の請求項４記載の独立電源装置は、請求項３記載の独立電源装置において、太陽電池モジュールの受光面の向きを自在に可変できる保持部材を設け、前記保持部材にラジオメーターが取り付けられていることを特徴としたものであり、太陽電池モジュールの受光面の向きを変更すれば合わせてラジオメーターの向きも変更されるという作用を有する。
【００２７】
本発明の請求項５記載の独立電源装置は、請求項１から４いずれか記載の独立電源装置において、風を受けて回転する風車を備えることを特徴としたものであり、風車の回転によって周辺の風の強さを表現できるという作用を有する。
【００２８】
本発明の請求項６記載の独立電源装置は、請求項５記載の独立電源装置において、風車の回転軸が垂直方向に配置されている垂直軸風車であることを特徴としたものであり、風の向きに関わらず周辺の風の強さを表現できるという作用を有する。
【００２９】
本発明の請求項７記載の独立電源装置は、請求項６記載の独立電源装置において、ラジオメーターの回転軸と、風車の回転軸が同軸上に配置されたことを特徴としたものであり、周囲のどの方向から見てもラジオメーターと風車が互いの影となって確認しづらくなることがなくなるという作用を有する。
【００３０】
本発明の請求項８記載の独立電源装置は、請求項６または７記載の独立電源装置において、ラジオメーターの回転方向と、風車の回転方向が反対方向であることを特徴としたものであり、離れた位置からでもラジオメーターと風車のどちらが回転しているか視認しやすくなり、回転方向によって日射と風の状況を正確に判断することができるという作用を有する。
【００３１】
本発明の請求項９記載の独立電源装置は、請求項５から８いずれか記載の独立電源装置において、風車に発電機が接続され風力発電機として機能することを特徴としたものであり、風が吹いた時に風の強さを表現するだけでなく風力エネルギーを電気エネルギーに変換できるという作用を有する。
【００３２】
本発明の請求項１０記載の独立電源装置は、請求項９記載の独立電源装置において、風力発電機の出力が照明に接続されており、風車が回転して発電した電力を用いて前記照明が点灯することを特徴としたものであり、風から得られた電気エネルギーを照明として利用できるという作用を有する。
【００３３】
本発明の請求項１１記載の独立電源装置は、請求項５から９いずれか記載の独立電源装置において、周囲の照度を検知する照度検知手段と、風車の回転を検知する回転検知手段と、照明手段を備え、夜間に前記風車が回転したときに前記照明手段を点灯させることを特徴としたものであり、風を受けて風車が回っている様子を夜間でも周囲から広く確認することができるという作用を有する。
【００３４】
本発明の請求項１２記載の独立電源装置は、請求項１０または１１いずれか記載の独立電源装置において、照明手段が点光源の発光体であり、風車に取り付けられていることを特徴としたものであり、点光源が風の強さに応じて回転移動するため、風の強さを夜間でも周囲に広く認識させることができるという作用を有する。
【００３５】
本発明の請求項１３記載の独立電源装置は、請求項１１または１２記載の独立電源装置において、照度検知手段として、太陽電池モジュールの発電によって発生する出力電圧を検知する電圧検知手段とすることを特徴としたものであり、別途に照度検知手段を設ける必要がなく、部品構成と回路を簡単にできるという作用を有する。
【００３６】
本発明の請求項１４記載の独立電源装置は、請求項１１または１３記載の独立電源装置において、回転検知手段として、風力発電機の発電によって発生する出力電圧を検知する電圧検知手段とすることを特徴としたものであり、別途に回転検知手段を設ける必要がなく、部品構成と回路を簡単にできるという作用を有する。
【００３７】
本発明の請求項１５記載の独立電源装置は、請求項２から１４いずれか記載の独立電源装置において、ラジオメーターのガラスドームの周囲に耐衝撃性のある防護手段を設けることを特徴としたものであり、台風など強風時に飛散物の衝突によって破損する被害を抑止できるという作用を有する。
【００３８】
本発明の請求項１６記載の独立電源装置は、請求項５から１５いずれか記載の独立電源装置において、ラジオメーターと風車が共通の取付け部材に取り付けられ、前記取付け部材を介して独立電源装置に固定されていることを特徴としたものであり、台風など強風時にラジオメーターと風車を一体化した状態で簡単に取り外せるため、風車の過回転や飛散物の衝突によって破損する被害を抑止できるという作用を有する。
【００３９】
以下、本発明の実施の形態について図面を参照しながら説明する。
【００４０】
（実施の形態１）
図１は本発明の実施の形態１の全体側面図、図２は同ラジオメーターの斜視図、図３は同太陽電池モジュール部分の斜視図である。全体構成として図１に示すように、独立電源装置１は太陽電池モジュール２と、ラジオメーター３と、垂直軸風車であるサボニウス形の風車４と、風車４の回転エネルギーを電気エネルギーに変換する発電機５と、発電した電力を蓄電する蓄電池７および充電回路６と、蓄電した電力を用いて点灯する照明装置８および点灯回路９を備えている。
【００４１】
太陽電池モジュール２とラジオメーター３は共通の保持フレーム１０に取り付けられポール１１最上部に固定されている。風車４と発電機５は２本のポール１１に挟み込まれるように、照明装置８は点灯したとき風車４を照らし出すようにポール１１の風車４の側面に相対する位置に埋め込まれるように配置されており、例えば直管蛍光灯を使用している。蓄電池７と充電回路６と点灯回路９は下部の本体ユニット１２内部に収納されている。ポール１１は強風を受けても転倒しないように基礎台１３を介して地面に堅牢に設置されている。点灯回路９は太陽電池モジュール２の出力電圧信号と発電機５の出力電圧信号を検知して、周辺が暗く風が吹いて風車４が回転しているときに照明装置８が点灯するように制御している。
【００４２】
図２に示すようにラジオメーター３は球状のガラスドーム１４の中に光を感知して回転する羽根車１５が備えられ、光がないと停止しているが、光を感知すると回転し始め、さらに光が強くなると、羽根車１５の回転速度が増加し、光の強さに応じて羽根車１５の回転速度が無段階に変化するため、光が強い、すなわち、太陽光発電量が多くなる程、羽根車１５の回転速度が早くなり、したがって、太陽光発電量を羽根車１５の回転速度、すなわち羽根車１５の回転状態で表現でき、目視により太陽光発電量の状態が認識でき、簡単な構成のまま、わずかな発電量変化を表現でき、目視認識できることとなる。
【００４３】
ガラスドーム１４の中は半真空状態になっており、羽根車１５の材質は例えば雲母であり片面を黒く塗ってある。光を受けると黒く塗った黒い面１６は光の吸収が大きいため、より暖められ黒い面１６に接触した気体分子にも大きな運動量を与え、気体分子の運動の反作用によって羽根車１５は回転する力を得て回転する。
【００４４】
図３に示すようにラジオメーター３は太陽電池モジュール２の受光面が向けられた方向からの光を感知するために、太陽電池モジュール２の受光面１７と同一面に形成された保持フレーム１０の平面部１８に開けられた穴１９からラジオメーター３のガラスドーム１４を半分突出して配置されている。さらに保持フレーム１０の上端には遮光板２０が設けられており、太陽電池モジュール２の受光面１７以外の方向からの光がラジオメーター３に入射しないようにしている。ただし、ラジオメーター３の羽根車１５の回転が地上から視認できるように下方側に遮光板２０は延長されず開放されている。保持フレーム１０は角度調整用ロッド２１によって垂直軸まわりと水平軸回りに自在に角度を変更できる構造になっており、ポール１１を地面に設置した後からも太陽電池モジュール２の受光面１７の方向を自由に変更することが可能である。保持フレーム１０は例えばステンレスなど錆や腐食に強い材質を用いており、屋外で長期間使用することができる。
【００４５】
また、ラジオメーター３の周囲にはネット状の防護カバー２２が取り付けられ、台風などの強風時に飛散物の衝突によってラジオメーター３のガラスドーム１４が破損することを抑止している。防護カバー２２の材質は、例えばステンレスなどの堅牢で高い剛性を有する金属の線材を編込んでネット状に形成、弾力性を持たせたものを使用している。
【００４６】
上記構成において、天候や時刻によって日射条件が変化すると太陽電池モジュール２による発電量が変化するとき、太陽電池モジュール２が受光するのと同じ光をラジオメーター３が受光しており、その光の強さに応じて羽根車１５の回転速度が変化する。光が弱いと回転は遅く、光が強いと回転は速くなる。この羽根車１５の回転を目視することで太陽電池モジュール２の発電量を確認することが可能となる。
【００４７】
光を感知して羽根車１５が回転するラジオメーター３を用いて発電量を表現する構成によって、光の強さに応じて羽根車の回転が無段階に変化するため簡単な構成のまま、わずかな発電量変化を表現することができる。また、透明なガラスドームの中で羽根車が回転して発電量を表現するため、周囲の広い範囲から発電量を目視確認できるという効果が得られる。
【００４８】
また風車４の回転を目視することで周辺の風の強さや風力発電の状態を確認するが、夜間で暗い状況においては風車４が見えにくいため、確認することが難しい。本実施例では夜間、風が吹いているときに照明装置８によって風車４が照らし出される構成であるため、風車４の回転を目視で容易に確認することが可能となる。
【００４９】
（実施の形態２）
図４は本発明の実施の形態２の全体斜視図である。なお、実施の形態１と同一部分については同一番号を付し、詳細な説明を省略する。風車４とラジオメーター３は共通の風車フレーム２３に回転軸が同軸上に配置されるように取り付けられ、本体ユニット１２に回転軸が垂直方向となるように固定されており、風車４が風を受けて回転する方向とラジオメーター３が光を感知して回転する方向は反対方向となっている。風車フレーム２３は本体ユニット１２にボルト２４を用いて結合されており本体ユニット１２から容易に着脱できる構造である。風車フレーム２３を外すと風車４とラジオメーター３は一体となった状態で持ち運ぶことが可能である。本体ユニット１２には建物などの壁面または地面に立てた柱などに設置、固定するためのフランジ２５が備えられており、強風を受けても脱落などしないように頑強に設置して使用できるようになっている。
【００５０】
発電機の出力は風車４のブレード２６端部に配置された点光源の発光体２７に接続されており、風が吹いて発電機５が回転して発電すると、その電力に応じて自動的に発光体２７が点灯する。発光体２７は例えばＬＥＤを用いている。ＬＥＤは低い消費電力で高い輝度が出せる発光体であり、離れた場所からでも視認性がよいのが特徴であるが、その反面、光の指向性が強く点灯を確認できる方向が狭い範囲に限られるという制約がある。しかしながら、本実施例において発光体２７は風車４のブレード２６に取り付けられており風車４が回転すると発光体２７はブレード２６と一緒に回転するため、周囲３６０度どの方向からも容易に点灯を確認することが可能になる。
【００５１】
上記構成において、ラジオメーター３の回転を目視することで太陽電池モジュール２の発電量を確認することができる。このとき同時に風が吹いて風車４が回転していてもラジオメーター３の回転方向と風車４の回転方向が異なるため、その回転方向を事前に認識していれば遠く離れた場所からでもどちらが回転しているのかを容易に確認、日射と風の状況を正確に判断することが可能になる。また、夜間においても風車４が回転しているときには発光体２７が点灯する構成であるため、風車４の回転を目視で容易に確認することができる。さらに、台風など強風時には、ラジオメーター３と風車４を一体化した状態で簡単に取り外せるため、風車４の過回転や飛散物の衝突によるラジオメーター３のガラスドーム１４の破損を抑止できる。
【産業上の利用可能性】
【００５２】
本発明は、公園や公共施設における屋外での照明やカメラなどの電源装置として使用する用途として有用である。また、住宅の庭などにおける防犯用センサ・アラームや温度湿度など気象モニタリング装置の電源供給の用途などにも適用することができる。
【図面の簡単な説明】
【００５３】
【図１】本発明の実施の形態１の全体側面図
【図２】本発明の実施の形態１のラジオメーター斜視図
【図３】本発明の実施の形態１の太陽電池モジュール部分斜視図
【図４】本発明の実施の形態２の全体斜視図
【図５】従来の発明の太陽電池モジュールを示す斜視図
【符号の説明】
【００５４】
１    独立電源装置
２    太陽電池モジュール
３    ラジオメーター
４    風車
５    発電機
６    充電回路
７    蓄電池
８    照明装置
９    点灯回路
１０  保持フレーム
１１  ポール
１２  本体ユニット
１３  基礎台
１４  ガラスドーム
１５  羽根車
１６  黒い面
１７  受光面
１８  平面部
１９  穴
２０  遮光板
２１  角度調整用ロッド
２２  防護カバー
２３  風車フレーム
２４  ボルト
２５  フランジ
２６  ブレード
２７  発光体
【図１】
2009077508.tif 000003
【図２】
2009077508.tif 000004
【図３】
2009077508.tif 000005
【図４】
2009077508.tif 000006
【図５】
2009077508.tif 000007